(57)【特許請求の範囲】
【請求項１】
複数の入力ラインと複数の出力ラインとのクロスによって生成されたクロスポイントをスイッチングするためのマトリックススイッチャにおいて、
上記複数の入力ラインから所望の入力ラインを選択するための複数の第１の操作ボタンと、
上記複数の第１の操作ボタンの列と並列に配置され、前記複数の第１の操作ボタンと夫々対応付けられた場所に、ソース信号に付与されたソース名称を表示するための複数の第１の表示部と、
前記複数の第１の操作ボタンの列と平行に配置され、上記複数の出力ラインから所望の出力ラインを選択するための複数の第２の操作ボタンと、
上記複数の第２の操作ボタンの列と並列に配置され、前記複数の第２の操作ボタンと夫々対応付けられた場所に、上記ソース信号に付与されたソース名称を表示するための複数の第２の表示部と、
上記入力ラインに供給されたソース信号に付与されているソース名称を上記第１の表示部に表示するとともに、上記クロスポイントを介して上記出力ラインから出力されるソース信号に付与されたソース名称を、上記第２の表示部に表示する制御手段と
を有するマトリックススイッチャ。
【請求項２】
上記複数の第１の操作ボタン、上記複数の第１の表示部、上記複数の第２の操作ボタン及び上記複数の第２の表示部を備えたコントロールパネルと、
上記制御手段を有するパネル制御ブロックと、
上記複数の入力ラインと上記複数の出力ラインとがマトリックス状に交差するマトリックス部と、
上記マトリックス部内の各クロスポイントのスイッチングを制御するスイッチング制御手段とを有するプロセッサと
を有する請求項１記載のマトリックススイッチャ。
【請求項３】
上記制御手段は、
上記複数の入力ラインを上記第１の操作ボタンに割り付けるための割付データを記憶するための記憶手段
を有する請求項１記載のマトリックススイッチャ。
【請求項４】
上記制御手段は、
上記複数の入力ラインに供給される信号に付与された名称データを記憶するための記憶手段
を有する請求項１記載のマトリックススイッチャ。
【請求項５】
上記複数の入力ラインを上記第１の操作ボタンに割り付けるための割付データを記憶するとともに、上記複数の入力ラインに供給されるソース信号に夫々付与されたソース名称を記憶するための第１の記憶手段
をさらに有する請求項２記載のマトリックススイッチャ。
【請求項６】
上記制御手段は、
上記複数の入力ライン夫々割付られた操作ボタンを示す割付データを、第１のテーブルとして上記第１の記憶手段に記憶し、上記複数の入力ラインに夫々付与されたソース名称を、第２のテーブルとして上記第１の記憶手段に記憶する
請求項５記載のマトリックススイッチャ。
【請求項７】
上記第１の記憶手段は、
不揮発性のメモリである
請求項６記載のマトリックススイッチャ。
【請求項８】
上記プロセッサのマトリックス部の内の全てのクロスポイントの接続／非接続状態を示すクロスポイント情報を記憶するための第２の記憶手段
をさらに有する請求項６記載のマトリックススイッチャ。
【請求項９】
上記制御手段は、
上記クロスポイント情報を、第３のテーブルとして上記第２の記憶手段に記憶する請求項８記載のマトリックススイッチャ。
【請求項１０】
上記制御手段は、
上記第１の記憶手段に記憶された第２のテーブルの名称データと上記第２記憶手段に記憶された第３のテーブルのクロスポイント情報とに基づいて、上記第２の表示部に、上記出力ラインから出力される信号に付与されたソース名称を表示する
請求項９記載のマトリックススイッチャ。
【請求項１１】
上記制御手段は、
上記第２の記憶手段に記憶された第３のテーブルのクロスポイント情報に基づいて、上記第２の操作ボタンに対応する出力ラインと接続している入力ラインを選択し、上記第１の記憶手段に記憶された第２のテーブルの名称データに基づいて、上記選択された入力ラインに供給されるソース信号に付与されたソース名称を、上記第２の操作ボタンに対応する上記第２の表示部に表示する
請求項９記載のマトリックススイッチャ。
【請求項１２】
上記制御手段は、
上記第１の操作ボタンと上記第２の操作ボタンの操作に応答して、マトリックス部の複数のクロスポイントから接続すべきクロスポイントとして１つのクロスポイントを選択し、この選択されたクロスポイントを非接続状態から接続状態にスイッチングするための制御コマンドを上記プロセッサに送出し、
上記プロセッサのスイッチング制御手段は、
上記制御手段から送出された制御コマンドに応じて、上記選択されたクロスポイントを非接続状態から接続状態にスイッチングする
請求項９記載のマトリックススイッチャ。
【請求項１３】
上記制御手段は、
上記複数の第２の操作ボタンのうちのいずれかの操作ボタンの操作に応答して、上記複数の出力ラインから１つの出力ラインを選択し、その後、上記複数の第１の操作ボタンのうちのいずれかの操作ボタンの操作に応答して、上記複数の入力ラインから１つの入力ラインを選択することによって、上記マトリックス部の複数のクロスポイントから１つのクロスポイントを選択する
請求項１２記載のマトリックススイッチャ。
【請求項１４】
上記制御手段は、
オペレータによって上記複数の第２の操作ボタンうち１つの操作ボタンが操作されたことを検出したときに、上記操作された第２の操作ボタンに対応する出力ラインを検索し、この検索された出力ラインに接続されている入力ラインに対応付けられている第１の操作ボタンを点灯させる
請求項１１記載のマトリックススイッチャ。
【請求項１５】
上記制御手段は、
上記複数の第２の操作ボタンうちオペレータによって選択された操作ボタンに応答して、上記複数の出力ラインから１つの出力ラインを選択する第１の処理と、
上記第２の記憶手段に記憶された第３のテーブルのクロスポイント情報に基づいて、上記選択された出力ラインに既に接続されている入力ラインを複数の入力ラインの中から選択する第２の処理と、
上記第１の記憶手段に記憶された第１のテーブルの割付データに基づいて、上記第２の処理において選択された入力ラインに対して割付られた操作ボタンを、上記複数の第１の操作ボタンの中から選択する第３の処理と、
上記第３の処理において選択された第１のボタンを点灯させる第４の処理と
を少なくとも行う請求項１１記載のマトリックススイッチャ。
【請求項１６】
上記制御手段は、
上記第４の処理において点灯された第１の操作ボタン以外の操作ボタンが、オペレータの操作によって選択された否かを検出する第５の処理と、
上記操作ボタン割付テーブルのデータに基づいて、上記第５の処理で選択された第１の操作ボタンに対応する入力ラインを、上記複数の入力ラインの中から選択する第６の処理と、
上記第１の処理において選択された出力ライン及び上記第６の処理において選択された入力ラインに応じて、上記プロセッサ内部のクロスポイントを決定する第７の処理と、
上記第７の処理において決定したクロスポイントを非接続状態から接続状態に制御するための制御コマンドを上記プロセッサに送出する第８の処理と
をさらに少なくとも行う請求項１５記載のマトリックススイッチャ。
【請求項１７】
上記プロセッサのスイッチング制御手段は、
上記制御手段から送出された制御コマンドに基づいて、上記第７の処理において決定したクロスポイントを非接続状態から接続状態にスイッチングする
請求項１６記載のマトリックススイッチャ。
【請求項１８】
上記制御手段は、
上記複数の第２の操作ボタンうちオペレータによって選択された操作ボタンに応答して、上記複数の出力ラインから１つの出力ラインを選択する第１の処理と、
上記第２の記憶手段に記憶された第３のテーブルのクロスポイント情報に基づいて、上記第１の処理において選択された出力ラインに既に接続されている入力ラインを複数の入力ラインの中から選択するとともに、上記第１の処理において選択された出力ラインに対して設定されたクロスポイントをプロセッサ内の複数のクロスポイントの中から選択する第２の処理と、
上記第１の記憶手段に記憶された第１のテーブルの割付データに基づいて、上記第２の処理において選択された入力ラインに対して割付られた操作ボタンを、上記複数の第１の操作ボタンの中から選択する第３の処理と、
上記第３の処理において選択された第１のボタンを点灯させる第４の処理と、
上記第４の処理において点灯された第１の操作ボタン以外の操作ボタンが、オペレータの操作によって選択された否かを検出する第５の処理と、
上記操作ボタン割付テーブルのデータに基づいて、上記第５の処理で選択された第１の操作ボタンに対応する入力ラインを、上記複数の入力ラインの中から選択する第６の処理と、
上記第１の処理において選択された出力ライン及び上記第６の処理において選択された入力ラインに応じて、上記プロセッサ内部の複数のクロスポイントから接続すべきクロスポイントとして１つのクロスポイントを選択する第７の処理と、
上記第２の処理において選択されたクロスポイントを接続状態から非接続状態にスイッチングするための第１の制御コマンドと、上記第７の処理において選択されたクロスポイントを非接続状態から接続状態にスイッチングするための第２の制御コマンドとを上記プロセッサに送出する第８の処理と
を少なくとも行う請求項１１記載のマトリックススイッチャ。
【請求項１９】
上記制御手段は、
上記第２の記憶手段に記憶された上記第２の処理において選択されたクロスポイントの接続状態を表わすクロスポイント情報と、上記第７の処理において選択されたクロスポイントの接続状態を表わすクロスポイント情報を、新たなクロスポイント情報に更新する
請求項１８記載のマトリックススイッチャ。
【請求項２０】
上記制御手段は、
上記第４の処理において点灯された第１の操作ボタン以外の操作ボタンが、オペレータの操作によって選択された否かを検出する第５の処理と、
上記操作ボタン割付テーブルのデータに基づいて、上記第５の処理で選択された第１の操作ボタンに対応する入力ラインを、上記複数の入力ラインの中から選択する第６の処理と、
上記記憶手段に記憶された第２のテーブルの名称データに基づいて、上記第６の処理において選択された入力ラインに付与されているソース名称を検索する第９の処理と、
上記第９の処理において検索されたソース名称を、既に表示されているソース名称に代えて、上記第１の処理において選択された出力ラインに対応する第２の表示部に新たに表示する第１０の処理と
を行う請求項１５記載のマトリックススイッチャ。
【請求項２１】
上記制御手段は、
上記複数の第２の操作ボタンうちオペレータによって選択された操作ボタンに応答して、上記複数の出力ラインから１つの出力ラインを選択する第１の処理と、
上記第２の記憶手段に記憶された第３のテーブルのクロスポイント情報に基づいて、上記第１の処理において選択された出力ラインに既に接続されている入力ラインを複数の入力ラインの中から選択するとともに、上記第１の処理において選択された出力ラインに対して設定されたクロスポイントをプロセッサ内の複数のクロスポイントの中から選択する第２の処理と、
上記第１の記憶手段に記憶された第１のテーブルの割付データに基づいて、上記第２の処理において選択された入力ラインに対して割付られた操作ボタンを、上記複数の第１の操作ボタンの中から選択する第３の処理と、
上記第３の処理において選択された第１のボタンを点灯させる第４の処理と、
上記第４の処理において点灯された第１の操作ボタン以外の操作ボタンが、オペレータの操作によって選択された否かを検出する第５の処理と、
上記操作ボタン割付テーブルのデータに基づいて、上記第５の処理で選択された第１の操作ボタンに対応する入力ラインを、上記複数の入力ラインの中から選択する第６の処理と、
上記第１の処理において選択された出力ライン及び上記第６の処理において選択された入力ラインに応じて、上記プロセッサ内部の複数のクロスポイントから接続すべきクロスポイントとして１つのクロスポイントを選択する第７の処理と、
上記第２の処理において選択されたクロスポイントを接続状態から非接続状態にスイッチングするための第１の制御コマンドと、上記第７の処理において選択されたクロスポイントを非接続状態から接続状態にスイッチングするための第２の制御コマンドとを上記プロセッサに送出する第８の処理と、
上記第１の記憶手段に記憶された第２のテーブルの名称データに基づいて、上記第６の処理において選択された入力ラインに付与されているソース名称を検索する第９の処理と、
上記第９の処理において検索されたソース名称を、既に表示されているソース名称に代えて、上記第１の処理において選択された出力ラインに対応する第２の表示部に、新たに表示する第１０の処理と
を行う請求項１１記載のマトリックススイッチャ。
【請求項２２】
上記制御手段は、
上記第２の記憶手段に記憶された上記第２の処理において選択されたクロスポイントの接続状態を表わすクロスポイント情報と、上記第７の処理において選択されたクロスポイントの接続状態を表わすクロスポイント情報を、新たなクロスポイント情報に更新する
請求項２１記載のマトリックススイッチャ。
【請求項２３】
上記プロセッサは、
供給されたソース信号に対してエフェクトを施すとともに供給された複数のソース信号をミックスする複数のミックス／エフェクト回路を有し、
上記コントロールパネルは、
上記複数のミックス／エフェクト回路に供給されるソース信号を選択するための第３の操作ボタンと、上記第３の操作ボタンと対応付けられた場所に、上記ソース信号に付与されたソース名称を表示するための第３の表示部とを有する
請求項９記載のマトリックススイッチャ。
【請求項２４】
上記制御手段は、
上記第１の記憶手段に記憶された第１のテーブルに基づいて、上記第１の操作ボタンと上記第３の操作ボタンに対して同じ入力ラインを割り付け、上記第１の記憶手段に記憶された第２のテーブルに基づいて、上記第１の表示部と上記第３の表示部には同じソース名称を表示する
請求項２３記載のマトリックススイッチャ。
【請求項２５】
複数の入力ラインと複数の出力ラインとのクロスによって生成されたクロスポイントをスイッチングするためのマトリックススイッチャにおけるソース信号名称の表示方法において、
前記マトリックススイッチャは、
上記複数の入力ラインから所望の入力ラインを選択するための複数の第１の操作ボタンと、
上記複数の第１の操作ボタンの列と並列に配置され、前記複数の第１の操作ボタンと夫々対応付けられた場所に、ソース信号に付与されたソース名称を表示するための複数の第１の表示部と、
前記複数の第１の操作ボタンの列と平行に配置され、上記複数の出力ラインから所望の出力ラインを選択するための複数の第２の操作ボタンと、
上記複数の第２の操作ボタンの列と並列に配置され、前記複数の第２の操作ボタンと夫々対応付けられた場所に、上記ソース信号に付与されたソース名称を表示するための複数の第２の表示部と、
を有し、
前記マトリックススイッチャに設けられた制御手段により、上記入力ラインに供給されたソース信号に付与されているソース名称を上記第１の表示部に表示するとともに、上記クロスポイントを介して上記出力ラインから出力されるソース信号に付与されたソース名称を、上記第２の表示部に表示する
マトリックススイッチャにおけるソース信号名称の表示方法。
【発明の詳細な説明】
【０００１】
【発明の属する技術分野】
本発明は、複数の入力ラインと複数の出力ラインとが接続されるクロスポイントを切り換えることによって、入力ラインに供給されるソースビデオ信号を所望の出力ラインから出力するマトリックススイッチャに関する。さらに詳細には、コントロールパネルに設けられたクロスポイントを切り換えるための複数の操作ボタンに対応させて、ソースビデオ信号に付与されたソース名称を表示することによって、オペレータが視覚的にクロスポイントを認識できるようにしたマトリックススイッチャに関する。また、本発明はかかるマトリックススイッチャにおけるソース信号名称の表示方法に関する。
【０００２】
【従来の技術】
放送局用のスイッチャシステムとして、複数の入力ラインと複数の出力ラインを有するマトリックススイッチャが用いられている。このマトリックススイッチャは、複数の入力ラインと複数の出力ラインとを有し、この入力ラインと出力ラインが接続されるクロスポイントを切り換えることによって、入力ラインに供給されるソースビデオ信号を所望の出力ラインから出力するようにした装置である。
【０００３】
このようなマトリックススイッチャは、複数のクロスポイントを切り換えるための複数の操作ボタンを有するコントロールパネルを備えている。このコントロールパネルは、操作卓とも呼ばれている。オペレータは、このコントロールパネル上の操作ボタンを操作することによって、クロスポイントを自由に切り換えることができる。
【０００４】
【発明が解決しようとする課題】
しかし、最近の放送局のシステムにおいて、１つのマトリックススイッチャに接続されるビデオカメラやＶＴＲ等の入力デバイスの数及びディスクレコーダやサーバー等の出力デバイスの数が増える傾向にある。例えば、入出力デバイスの数の増加を考慮して、入力ラインと出力ラインを夫々１０本設けたとすると、１００個のクロスポイントが存在することなる。従来は、この１００個のクロスポイントを夫々切り換えるために、コントロールパネル上に１００個の操作ボタンを配置していた。
【０００５】
しかし、コントロールパネル上の面積には限りがあり、これ以上のボタンを配置することが困難であった。さらに、最近の放送局のシステムにおいては、１つのマトリックススイッチャに接続されるビデオカメラやＶＴＲ等の入力デバイスの数及びディスクレコーダやサーバー等の出力デバイスの数がより増える傾向にある。従って、このクロスポイントの数はさらに増えることが考えられ、これ以上のボタンをコントロールパネル上に配置することは、スペース上困難であった。
【０００６】
また、従来のマトリックススイッチャのコントロールパネル上には、クロスポイントを切り換えるための複数の操作ボタンしか設けられていなかった。そのため、ある出力ラインから出力されている信号がどのソースデバイスから供給された信号であるかを認識するためには、オペレータが、出力ライン上に設定されたある入力ラインとのクロスポイントを調べ、さらに、その入力ラインに接続されているソースデバイスを調べる必要があった。そのため、オペレータが、ある出力ラインから出力されている信号がどのソースデバイスから供給された信号であるかを、即座に認識することが困難であった。特に、放送局のシステムにおいては、ライブ放送の場合等、切り換えられた映像がそのまま各家庭にオンエアされる場合があり、映像送出時にリアルタイム性が要求されるので、少しでもオペレータの操作時間を短くし、操作ミスを少なくしたいという要望があった。
【０００７】
【課題を解決するための手段】
本発明に係るマトリックススイッチャは、複数の入力ラインと複数の出力ラインによって形成されたクロスポイントをスイッチングするためのマトリックススイッチャであって、上記複数の入力ラインから所望の入力ラインを選択するための複数のクロスポイントボタンと、上記複数の出力ラインから所望の出力ラインを選択するための複数のデリゲーションボタンとを有するコントロールパネルと、上記入力ラインに供給されたソース信号に付与されているソース名称を所定の名称表示部に表示するとともに、上記クロスポイントを介して上記出力ラインから出力されるソース信号に付与されたソース名称を所定の名称表示部に表示するパネル制御手段とを備えている。
【０００８】
なお、入力ラインを選択するための複数のクロスポイントボタンと、出力ラインを選択するための複数のデリゲーションボタンとは、互いに平行に配置されている。さらに、名称表示部は、クロスポイントボタンの列、及び、デリゲーションボタンの列の各ボタンと夫々対応付けられた場所に並列に配置されている。
【０００９】
従って、出力ラインに出力される信号に予め付与したソース名称が、出力ラインを示すデリゲーションボタンと対応付けられて、コントロールパネルの名称表示部に表示されるので、オペレータは、ソース信号の供給先がどのデバイスであるのかを視覚的に直接把握することができる。
【００１０】
また、本発明のマトリックススイッチャは、複数の入力ラインに対して複数のクロスポイントボタンに割り付けるための割付データを記憶するクロスポイント割付テーブルと、複数の入力ラインに供給されるソース信号に夫々付与されたソース名称を記憶するためのソース名称テーブルを有している。
【００１１】
よって、複数のクロスポイントボタンに対して自由に複数の入力ラインを割り当てることができる。また、ソース入力信号に対して、自由なソース名称を付与することができる。また、本発明のマトリックススイッチャは、クロスポイント割付テーブルとこのソース名称テーブルを不揮発性のメモリに記憶するようにしているので、スイッチャの電源を切った後でも、このテーブルのデータを再使用することができる。
【００１２】
また、本発明のマトリックススイッチャは、プロセッサ内部のマトリックス部の内の全てのクロスポイントの接続／非接続状態を示すクロスポイント情報を記憶するためのクロスポイントテーブルを有している。従って、パネル制御手段は、マトリックス部のクロスポイントの接続／非接続状態を常に把握することができ、コントロールパネルに対して高速な制御を行うことができる。
【００１３】
また、本発明のマトリックススイッチャは、クロスポイントテーブルの情報に基づいて、デリゲーションボタンに対応する出力ラインと接続している入力ラインを選択し、ソース名称テーブルに基づいて、選択された入力ラインに供給されるソース信号に付与されたソース名称を表示している。
【００１４】
また、本発明のマトリックススイッチャは、複数のデリゲーションボタンのうちのいずれかの操作ボタンの操作に応答して、複数の出力ラインから１つの出力ラインを選択し、その後、複数のクロスポイントボタンのうちのいずれかの操作ボタンの操作に応答して、複数の入力ラインから１つの入力ラインを選択することによって、マトリックス部の複数のクロスポイントから１つのクロスポイントを選択している。
【００１５】
従って、コントロールパネル上の少ない数の操作ボタンで、確実にクロスポイントを選択することができる。
【００１６】
また、本発明のマトリックススイッチャは、デリゲーションボタンうちオペレータによって選択されたボタンに応答して、複数の出力ラインから１つの出力ラインを選択する第１の処理と、クロスポイントテーブルの情報に基づいて、第１の処理において選択された出力ラインに既に接続されている入力ラインを複数の入力ラインの中から選択するとともに、第１の処理において選択された出力ラインに対して設定されたクロスポイントをプロセッサ内の複数のクロスポイントの中から選択する第２の処理と、クロスポイントボタン割付テーブルに基づいて、第２の処理において選択された入力ラインに対して割付られたクロスポイントボタンを、複数のクロスポイントボタンの中から選択する第３の処理と、第３の処理において選択されたクロスポイントボタンを点灯させる第４の処理とを行うようにしている。従って、オペレータが、デリゲーションボタンを操作したときに、そのデリゲーションボタンに対応付けられた出力ラインと接続している入力ラインに対応付けられたクロスポイントボタンを、自動で点灯させることができる。
【００１７】
さらに、本発明のマトリックススイッチャは、第４の処理において点灯されたクロスポイントボタン以外のボタンが、オペレータの操作によって選択された否かを検出する第５の処理と、クロスポイントボタン割付テーブルに基づいて、第５の処理で選択された第１の操作ボタンに対応する入力ラインを、複数の入力ラインの中から選択する第６の処理と、第１の処理において選択された出力ライン及び第６の処理において選択された入力ラインに応じて、複数のクロスポイントから接続すべきクロスポイントとして１つのクロスポイントを選択する第７の処理と、第２の処理において選択されたクロスポイントを接続状態から非接続状態にスイッチングするための制御コマンドと第７の処理において選択されたクロスポイントを非接続状態から接続状態にスイッチングするための制御コマンドとをプロセッサに送出する第８の処理とを行うようにしている。従って、デリゲーションボタンとクロスポイントボタンを操作するだけで、クロスポイントを自動で切り換えることができ、ボタン操作の使い勝手が向上する。
【００１８】
さらに本発明のマトリックススイッチャは、ソース名称テーブルの名称データに基づいて、第６の処理において選択された入力ラインに付与されているソース名称を検索する第９の処理と、第９の処理において検索されたソース名称を、既に表示されているソース名称に代えて、第１の処理において選択された出力ラインに対応する名称表示部に新たに表示する第１０の処理とを行うようにしている。従って、クロスポイントを切り換えたときに、その切り換えに応じて、自動的に表示される名称が変更される。
【００１９】
また本発明は、複数の入力ラインと複数の出力ラインとのクロスによって生成されたクロスポイントをスイッチングするためのマトリックススイッチャにおけるソース信号名称の表示方法において、前記マトリックススイッチャは、上記複数の入力ラインから所望の入力ラインを選択するための複数の第１の操作ボタンと、上記複数の第１の操作ボタンの列と並列に配置され、前記複数の第１の操作ボタンと夫々対応付けられた場所に、ソース信号に付与されたソース名称を表示するための複数の第１の表示部と、前記複数の第１の操作ボタンの列と平行に配置され、上記複数の出力ラインから所望の出力ラインを選択するための複数の第２の操作ボタンと、上記複数の第２の操作ボタンの列と並列に配置され、前記複数の第２の操作ボタンと夫々対応付けられた場所に、上記ソース信号に付与されたソース名称を表示するための複数の第２の表示部と、を有し、前記マトリックススイッチャに設けられた制御手段により、上記入力ラインに供給されたソース信号に付与されているソース名称を上記第１の表示部に表示するとともに、上記クロスポイントを介して上記出力ラインから出力されるソース信号に付与されたソース名称を、上記第２の表示部に表示する。
【００２０】
【発明の実施の形態】
本発明に係るマトリックススイッチャについて、添付図面を参照しながら詳細に説明する。
【００２１】
１．全体システムの説明
まず、本発明のマトリックススイッチャが使用される放送局用のスイッチャシステムについて、図１を参照しながら説明する。
【００２２】
このスイッチャシステムは、プロセッサ１と、コントロールパネル２と、パネル制御ブロック２ｃとを有する。プロセッサ１は、入力部に供給されたビデオ信号に対して信号処理をするための信号処理回路、及び、入力部に供給された複数のビデオ信号を切り替えて、複数の出力部に出力するためのスイッチング回路を備えている。コントロールパネル２は、複数の操作ボタン及び表示部等を有している。パネル制御ブロック２ｃは、コントロールパネル２の裏面側の基板上に設けられたブロックである。このパネル制御ブロック２ｃは、プロセッサ１とＲＳ−４２２Ａフォーマットの通信ケーブルで接続され、コントロールパネルの操作状態に応じて、プロセッサ１に対して制御信号を送出する。具体的には、このパネル制御ブロック２ｃは、プロセッサ１の内部に設けられた信号処理回路において行われる信号処理を指示したり、スイッチング回路におけるクロスポイントのスイッチングを制御する。
【００２３】
このプロセッサ１の入力側には２９本の入力ラインが設けられ、このプロセッサの出力側には１３本の出力ラインが設けられている。ここで、この後の説明の便宜上、この２９本の入力ラインを、第１のプライマリー入力１ライン（Ｐｒｍ１）、第２のプライマリー入力２ライン（Ｐｒｍ２）、第３のプライマリー入力ライン（Ｐｒｍ３）〜第２９のプライマリー入力２９ライン（Ｐｒｍ２９）と呼ぶことにする。また、この１３本の出力ラインを、第１のオグジャリー出力ライン（ＡＵＸ１）、第２のオグジャリー出力ライン（ＡＵＸ２）、第３のオグジャリー出力ライン（ＡＵＸ３）〜第１３のオグジャリー出力ライン（ＡＵＸ１３）と呼ぶことにする。
【００２４】
例えば図１に示すように、プロセッサ１の第１の入力ラインＰｒｍ１には第１のビデオカメラ３ａが接続され、第２の入力ラインＰｒｍ２には第２のビデオカメラ３ｂが接続され、第３の入力ラインＰｒｍ２には第３のビデオカメラ３ｃが接続され、第４の入力ラインＰｒｍ４には記録再生用の第１のＶＴＲ４ａが接続され、第５の入力ラインＰｒｍ５には記録再生用の第２のＶＴＲ４ｂが接続され、第６の入力ラインＰｒｍ６には再生用の第３のＶＴＲ４ｃが接続され、第７の入力ラインＰｒｍ７には再生用の第４のＶＴＲ４ｄが接続され、第８の入力ラインＰｒｍ８には第１のディスクレコーダ６ａが接続され、第９の入力ラインＰｒｍ９には第２のディスクレコーダ６ｂが接続され、第１０の入力ラインＰｒｍ１０には第１の特殊効果装置７ａが接続され、第１１の入力ラインＰｒｍ１１には第２の特殊効果装置７ｂが接続され、第１２の入力ラインＰｒｍ１２には第３の特殊効果装置７ｃが接続されている。
【００２５】
尚、本実施例においては、第１３の入力ラインＰｒｍ１３から第２９の入力ラインＰｒｍ２９の入力ラインには、何のデバイスも接続されていないものとし、それらを図示することを省略する。また、この入力ラインと各デバイスとの接続については、この図１に示した例に限られるものではなく、任意の接続が可能である。
【００２６】
また、図１に示されるように、第１の出力ラインＡＵＸ１には記録再生用の第１のＶＴＲ４ａが接続され、第２の出力ラインＡＵＸ２には記録再生用の第２のＶＴＲ４ｂが接続され、第３の出力ラインＡＵＸ３には再生用の第５のＶＴＲ４ｅが接続され、第４の出力ラインＡＵＸ４には再生用の第６のＶＴＲ４ｆが接続され、第５の出力ラインＡＵＸ５にはビデオ信号をオンエアするためにバッファリングするオンエアサーバ５が接続され、第６の出力ラインＡＵＸ６には第１のディスクレコーダ６ａが接続され、第７の出力ラインＡＵＸ７には第２のディスクレコーダ６ｂが接続され、第８の出力ラインＡＵＸ８には第１の特殊効果装置７ａが接続され、第９の出力ラインＡＵＸ９には第２の特殊効果装置７ｂが接続され、第１０の出力ラインＡＵＸ１０には第３の特殊効果装置７ｃが接続されている。
【００２７】
尚、第１１の出力ラインＡＵＸ１１から第１３の出力ラインＡＵＸ１３の各出力ラインには、何のデバイスも接続されていないものとし、それらを図示することを省略する。また、この出力ラインと各デバイスとの接続については、この図１に示した例に限られるものではなく、任意の接続が可能である。
【００２８】
尚、この特殊効果装置７ａ、７ｂ、７ｃは、供給されたビデオ信号に対して、３次元空間内での画像トランスフォーム等の特殊エフェクトを施すための装置であって、「デジタル・マルチ・エフェクター」とも呼ばれている。
【００２９】
さらにこのスイッチャシステムには、プロセッサ１に供給されるソースビデオを編集するための編集機８ａ及び編集機８ａを制御するためのコンピュータ８ｂが設けられている。この編集機８ａは、ＲＳ−４２２Ａの通信フォーマットに準拠した通信ケーブルを介して、プロセッサ１、特殊効果装置７ａ、７ｂ、７ｃ、ビデオカメラ３ａ、３ｂ、３ｃ、ＶＴＲ４ａ、４ｂ、４ｃ、４ｄ、ディスクレコーダ５ａ、５ｂを制御することができる。この編集機８ａは、オペレータがコンピュータ８ｂを操作することによって作成した所望の編集オペレーションを表わす編集リストを受け取る。そして、編集機８ａは、この編集リストに応じて、ビデオカメラ３ａ、３ｂ、３ｃに対して、ビデオ信号出力を指令するコマンドを送出するとともに、ＶＴＲ４ａ、４ｂ、４ｃ、４ｄ及びディスクレコーダ５ａ、５ｂ等に対して再生、ストップ、記録等の制御コマンドを送出する。また、この編集機８ａは、この編集リストに基づいて、特殊効果装置７ａ、７ｂ、７ｃにおいて処理されるエフェクトの種類及びタイミングを制御したり、プロセッサ１におけるスイッチング回路の切り換えタイミングを制御する。
【００３０】
２．プロセッサの説明
次に、図２を参照しながら、プロセッサ１に関して詳しく説明する。
【００３１】
このプロセッサ１は、プロセッサ１全体を制御するＣＰＵ部１０１と、ＳＤＩ（シリアル・デジタル・インターフェイス）フォーマットのビデオ信号をスイッチャ内部での信号処理に適するようにパラレルビデオ信号に変換する入力処理部１０３と、複数の入力信号ラインと複数出力信号ラインとの接続を切り換えるマトリックス部１０４と、キー信号生成のために供給されたＹＵＶ信号からクロマキー信号を生成するクロマキー回路１０５、１０６、１０７と、マトリックス部１０４及びクロマキー回路１０５、１０６、１０７から供給されたビデオ信号及びキー信号に基づいて、ビデオ信号に対してエフェクトを施したり、２つのビデオ信号をミックスしたりする第１のＭ／Ｅ（ミックス／エフェクト）回路１５０、第２のＭ／Ｅ回路１６０、第３のＭ／Ｅ回路１７０と、複数の出力ラインに出力されたビデオ信号をＳＤＩフォーマットのビデオ信号に変換する出力処理部１０８とを備えている。
【００３２】
このプロセッサ１には、入力処理部１０３及びマトリックス部１０４に入力する入力ラインとして、第１の入力ラインＰｒｍ１から第２９の入力ラインＰｒｍ２９の２９本の入力ラインが設けられている。
【００３３】
一方、このプロセッサ１においては、マトリックス部１０４及び出力処理部１０８から出力する出力ラインとして、第１の出力ラインＡＵＸ１から第１３の出力ラインＡＵＸ１３からなる１３本の出力ラインが設けられている。さらに、第１のＭ／Ｅ回路１５０、第２のＭ／Ｅ回路１６０、第３のＭ／Ｅ回路１７０からの出力ラインとして、第１、第２及び第３のプログラムラインが設けられている。
【００３４】
尚、第１のプログラムラインに出力されるビデオ信号は、第１のＭ／Ｅ回路１５０によってエフェクト処理及びミックス処理が施されたビデオ信号であって、第２のプログラムラインに出力されるビデオ信号は、第２のＭ／Ｅ回路１６０によってエフェクト及びミックス処理が施されたビデオ信号であって、第３のプログラムラインに出力されるビデオ信号は、第３のＭ／Ｅ回路１７０によってエフェクト及びミックス処理が施されたビデオ信号である。
【００３５】
マトリックス部１０４は、図２において垂直方向に配列された２９本の入力ラインと、水平方向に配列された１６本の出力ラインとがマトリックス状に交差しており、図２において「×」で示される入力ラインと出力ラインのクロスポイントを切り換えることによって、入力ラインと出力ラインの接続を自由に選択することができる。
【００３６】
尚、これらの２９本の入力ラインは、先に説明した第１の入力ラインＰｒｍ１から第２９の入力ラインＰｒｍ２９よりなる２９本の入力ラインである。また、これらの１６本の出力ラインは、先に説明した第１の出力ラインＡＵＸ１から第１３の出力ラインＡＵＸ１３よりなる１３本の出力ラインと、第１のプログラムラインから第３のプログラムラインよりなる３本の出力ラインから構成されている。
【００３７】
また、このマトリックス部１０４は、第１のＭ／Ｅ回路１５０に接続される３本の出力ラインを有する第１の信号選択ブロック１１０と、第２のＭ／Ｅ回路１６０に接続される３本の出力ラインを有する第２の信号選択ブロック１２０と、第３のＭ／Ｅ回路１７０に接続される３本の出力ラインを有する第３の信号選択ブロック１３０と、先に説明した第１の出力ラインＡＵＸ１から第１３の出力ラインＡＵＸ１３からなる１３本の出力ラインを有するＡＵＸ信号選択ブロック１４０とから構成される。
【００３８】
図２に示すように、第１の信号選択ブロック１１０の３本の出力ライン、第２の信号選択ブロック１２０の３本の出力ライン、第３の信号選択ブロック１３０の３本の出力ライン、及び、ＡＵＸ信号選択ブロック１４０の１３本の出力ラインは、第１の入力ラインＰｒｍ１から第２９の入力ラインＰｒｍ２９の全ての入力ラインとクロスし、そのクロスポイントは自由に切り換え可能である。
【００３９】
クロマキー回路１０５、１０６、１０７は、外部から供給された輝度信号Ｙ及び色差信号Ｕ、Ｖを受け取って、これらの信号から色々な種類のクロマキー信号を生成する回路である。
【００４０】
第１のＭ／Ｅ回路１５０、第２のＭ／Ｅ回路１６０及び第３のＭ／Ｅ回路１７０は、ビデオ信号に対して３次元変換等のエフェクトを施したり、ワイプ等のように２つのビデオ信号間でトランジションを施したり、２つのビデオ信号をミックスしたりする回路である。
【００４１】
ＣＰＵ部１０１は、コントロールパネル２のパネル制御ブロック２ｃから送出された制御コマンドを受け取って、その制御コマンドに応じて、このプロセッサ１の各回路を制御する。例えば、このＣＰＵ部１０１は、受け取った制御コマンドに基づいてマトリックス部１０４におけるクロスポイントの切り換えを制御する。また、ＣＰＵ部１０１は、クロマキー回路１０５、１０６、１０７において生成されるクロマキーの種類、第１〜第３のＭ／Ｅ回路１５０、１６０、１７０においてビデオ信号に施されるエフェクトの種類又はミックスの比率等を制御する。
【００４２】
３．コントロールパネルの説明
次に、図３を参照してコントロールパネル２について説明する。
【００４３】
このコントロールパネル２は、第１の信号選択操作ブロック１０と、第２の信号選択操作ブロック２０と、第３の信号選択操作ブロック３０と、ＡＵＸ信号選択操作ブロック４０と、第１のＭ／Ｅ操作ブロック５０と、第２のＭ／Ｅ操作ブロック６０と、第３のＭ／Ｅ操作ブロック７０と、表示ブロック８０とを有する。
【００４４】
この第１の信号選択操作ブロック１０は、プロセッサ１の第１の信号選択ブロック１１０内のクロスポイントの切り換えを操作するための複数の操作スイッチが配置されたブロックであって、第２の信号選択操作ブロック２０は、プロセッサ１の第２の信号選択ブロック１２０内のクロスポイントの切り換えを操作するための複数の操作スイッチが配置されたブロックであって、第３の信号選択操作ブロック３０は、プロセッサ１の第３の信号選択ブロック１３０内のクロスポイントの切り換えを操作するための複数の操作スイッチが配置されたブロックであって、ＡＵＸ信号選択操作ブロック４０は、プロセッサ１のＡＵＸ信号選択ブロック１４０内のクロスポイントの切り換えを操作するための複数の操作スイッチが配置されたブロックである。
【００４５】
また、第１のＭ／Ｅ操作ブロック５０は、プロセッサ１の第１のＭ／Ｅ回路１５０において行われるエフェクト処理及びミックス処理に関する操作をするための複数の操作スイッチ及び操作レバーが配置されたブロックであって、第２のＭ／Ｅ操作ブロック６０は、プロセッサ１の第２のＭ／Ｅ回路１６０において行われるエフェクト処理及びミックス処理に関する操作をするための複数の操作スイッチ及び操作レバーが配置されたブロックであって、第３のＭ／Ｅ操作ブロック７０は、プロセッサ１の第３のＭ／Ｅ回路１７０において行われるエフェクト処理及びミックス処理に関する操作をするための複数の操作スイッチ及び操作レバーが配置されたブロックである。
【００４６】
表示ブロック８０は、プロセッサ１のセットアップ行うためのメニューを表示したり、第１のＭ／Ｅ回路１５０、第２のＭ／Ｅ回路１６０、第３のＭ／Ｅ回路１７０で行われるエフェクトを、複数のエフェクトの中から選択するためのメニュー等を表示するためのブロックである。
【００４７】
次に、第１の信号選択操作ブロック１０について、図４を参照しながら説明する。
【００４８】
この第１の信号選択ブロック１０は、第１のＭ／Ｅ回路１５０に供給されるフォアグラウンドビデオ信号を選択するためのフォアグラウンドビデオ信号ボタン列１０Ａと、第１のＭ／Ｅ回路１５０に供給されるバックグラウンドビデオ信号を選択するためのバックグラウンドビデオ信号ボタン列１０Ｂと、第１のＭ／Ｅ回路１５０に供給されるキー信号を選択するためのキー信号ボタン列１０Ｋと、フォアグラウンドビデオ信号ボタン列１０Ａとバックグラウンドビデオ信号ボタン列１０Ｂとの入力ラインに供給されるソース信号に付与された名称を表示するソース名表示部１０Ｎとを有している。
【００４９】
このフォアグラウンドビデオ信号ボタン列１０Ａには、図４に示されるように、左から１番目の第１のクロスポイントボタン１０１Ａ、左から２番目の第２のクロスポイントボタン１０２Ａ、左から３番目の第３のクロスポイントボタン１０３Ａ、〜、左から２９番目の第２９のクロスポイントボタン１２９Ａからなる合計２９個のクロスポイントボタンが配置されている。同じように、バックグラウンドビデオ信号ボタン列１０Ｂには、左から１番目の第１のクロスポイントボタン１０１Ｂ、左から２番目の第２のクロスポイントボタン１０２Ｂ、左から３番目の第３のクロスポイントボタン１０３Ｂ、〜、左から２９番目の第２９のクロスポイントボタン１２９Ｂからなる合計２９個のクロスポイントボタンが配置されている。また、キー信号ボタン列１０Ｋには、左から１番目の第１のクロスポイントボタン１０１Ｋ、左から２番目の第１のクロスポイントボタン１０２Ｋ、左から３番目の第３のクロスポイントボタン１０３Ｋ、〜、左から２９番目の第２９のクロスポイントボタン１２９Ｋからなる合計２９個のクロスポイントボタンが配置されている。
【００５０】
尚、この各クロスポイントボタン列１０Ａ，１０Ｂ，１０Ｋに設けられた２９個の第１から第２９のクロスポイントボタンには、左側から、それぞれ「１」から「２９」の識別番号が付与されている。
【００５１】
ソース名表示部１０Ｎには、左から１番目の第１の名称表示部１０１Ｎ、左から２番目の第２の名称表示部１０２Ｎ、左から３番目の第３の名称表示部１０３Ｎ、〜、左から２９番目の第２９の名称表示部１２９Ｎからなる合計２９個の名称表示部が設けられている。具体的には、このソース名表示部１０Ｎには、各クロスポイントボタン列１０Ａ、１０Ｂ、１０Ｋの各クロスポイントボタンに関連付けられている入力ラインに供給される入力信号に対して付与された名称が表示される。例えば、図４に示される例においては、各クロスポイントボタン列１０Ａ、１０Ｂ、１０Ｋの左から１番目の第１のクロスポイントボタン１０１Ａ，１０１Ｂ、１０１Ｋに関連付けられている入力ラインＰｒｍ１に供絵される入力信号に付与されている名称は「ＣＡＭ１」であるので、この第１の名称表示部１０１Ｎには、「ＣＡＭ１」という文字が表示される。また、各クロスポイントボタン列１０Ａ、１０Ｂ、１０Ｋの第２のクロスポイントボタン１０２Ａ，１０２Ｂ、１０２Ｋに関連付けられている入力ラインＰｒｍ２に供給されるソース信号に付与されている名称は「ＣＡＭ２」であるので、この第２の名称表示部１０２Ｎには、「ＣＡＭ２」という文字が表示される。尚、ソース信号に対して付与される名称は予め設定されている名称である。このソース信号に対する名称の付与の仕方については後述する。
【００５２】
次に、第２の信号選択操作ブロック２０について、図５を参照しながら説明する。基本的には、既に説明した第１の信号選択操作ブロック１０と全く同じである。
【００５３】
この第２の信号選択ブロック２０は、第１の信号選択ブロックと同じクロスポイントボタン列を有している。具体的には、この第２の信号選択ブロック２０は、第２のＭ／Ｅ回路１６０に供給されるフォアグラウンドビデオ信号を選択するためのフォアグラウンドビデオ信号ボタン列２０Ａと、第２のＭ／Ｅ回路１６０に供給されるバックグラウンドビデオ信号を選択するためのバックグラウンドビデオ信号ボタン列２０Ｂと、第２のＭ／Ｅ回路１６０に供給されるキー信号を選択するためのキー信号ボタン列２０Ｋと、フォアグラウンドビデオ信号ボタン列２０Ａとバックグラウンドビデオ信号ボタン列２０Ｂとの入力ラインに供給されるソース信号に付与された名称を表示するソース名表示部２０Ｎとを有している。
【００５４】
このフォアグラウンドビデオ信号ボタン列２０Ａには、左から順に、第１のクロスポイントボタン２０１Ａ、第２のクロスポイントボタン２０２Ａ、第３のクロスポイントボタン２０３Ａ、〜、第２９のクロスポイントボタン２２９Ａからなる合計２９個のクロスポイントボタンが配置されている。同じように、バックグラウンドビデオ信号ボタン列２０Ｂには、第１のクロスポイントボタン２０１Ｂ、第２のクロスポイントボタン２０２Ｂ、第３のクロスポイントボタン２０３Ｂ、〜、第２９のクロスポイントボタン２２９Ｂからなる合計２９個のクロスポイントボタンが配置されている。また、キー信号ボタン列２０Ｋには、左から順に、第１のクロスポイントボタン２０１Ｋ、第２のクロスポイントボタン２０２Ｋ、第３のクロスポイントボタン２０３Ｋ、〜、第２９のクロスポイントボタン２２９Ｋからなる合計２９個のクロスポイントボタンが配置されている。
【００５５】
尚、第１の信号選択ブロック１０と同じように、この各クロスポイントボタン列２０Ａ，２０Ｂ，２０Ｋに設けられた２９個の第１から第２９のクロスポイントボタンには、左側から、それぞれ「１」から「２９」の識別番号が付与されている。
【００５６】
ソース名表示部２０Ｎには、左から順に、第１の名称表示部２０１Ｎ、第２の名称表示部２０２Ｎ、第３の名称表示部３０３Ｎ、〜、第２９の名称表示部２２９Ｎからなる合計２９個の名称表示部が設けられている。具体的には、このソース名表示部２０Ｎには、各クロスポイントボタン列２０Ａ、２０Ｂ、２０Ｋに配置されている各クロスポイントボタンに関連付けられている入力ラインに供給されている入力信号に付与された名称が表示される。例えば、図６の例では、各クロスポイントボタン列２０Ａ、２０Ｂ、２０Ｋにおける第１のクロスポイントボタン２０１Ａ，２０１Ｂ、２０１Ｋに関連付けられている入力ラインＰｒｍ１に供給されたソース信号に付与されている名称は「ＣＡＭ１」であるので、この第１の名称表示部２０１Ｎには、「ＣＡＭ１」という文字が表示される。また、各クロスポイントボタン列２０Ａ、２０Ｂ、２０Ｋにおける第２のクロスポイントボタン２０２Ａ，２０２Ｂ、１０２Ｋに関連付けられているソース信号に付与されている名称は「ＣＡＭ２」であるので、この第２の名称表示部２０２Ｎには、「ＣＡＭ２」という文字が表示される。
【００５７】
次に、第３の信号選択操作ブロック３０について、図６を参照しながら説明する。基本的には、既に説明した第１の信号選択操作ブロック１０及び第２の信号選択操作ブロック２０と全く同じである。
【００５８】
この第３の信号選択ブロック３０は、第１及び第２の信号選択ブロックと同じクロスポイントボタン列を有している。具体的には、この第３の信号選択ブロック３０は、第３のＭ／Ｅ回路１７０に供給されるフォアグラウンドビデオ信号を選択するためのフォアグラウンドビデオ信号ボタン列３０Ａと、第３のＭ／Ｅ回路１７０に供絵されるバックグラウンドビデオ信号を選択するためのバックグラウンドビデオ信号ボタン列３０Ｂと、第３のＭ／Ｅ回路１７０に供給されるキー信号を選択するためのキー信号ボタン列３０Ｋと、フォアグラウンドビデオ信号ボタン列３０Ａとバックグラウンドビデオ信号ボタン列３０Ｂとの入力ラインに供給されるソース信号に付与された名称を表示するソース名表示部３０Ｎとを有している。
【００５９】
このフォアグラウンドビデオ信号ボタン列３０Ａには、左から順に、第１のクロスポイントボタン３０１Ａ、第２のクロスポイントボタン３０２Ａ、第３のクロスポイントボタン３０３Ａ、〜、第２９のクロスポイントボタン３２９Ａからなる合計２９個のクロスポイントボタンが配置されている。同じように、バックグラウンドビデオ信号ボタン列３０Ｂには、第１のクロスポイントボタン３０１Ｂ、第２のクロスポイントボタン３０２Ｂ、第３のクロスポイントボタン３０３Ｂ、〜、第２９のクロスポイントボタン３２９Ｂからなる合計２９個のクロスポイントボタンが配置されている。
【００６０】
また、キー信号ボタン列３０Ｋには、左から順に、第１のクロスポイントボタン３０１Ｋ、第２のクロスポイントボタン３０２Ｋ、第３のクロスポイントボタン３０３Ｋ、〜、第２９のクロスポイントボタン３２９Ｋからなる合計２９個のクロスポイントボタンが配置されている。
【００６１】
尚、既に説明した第１の信号選択操作ブロック１０及び第２の信号選択操作ブロック２０と同じように、この各クロスポイントボタン列３０Ａ，３０Ｂ，３０Ｋに設けられた２９個の第１から第２９のクロスポイントボタンには、左側から、それぞれ「１」から「２９」の識別番号が付与されている。
【００６２】
ソース名表示部３０には、左から順に、第１の名称表示部３０１Ｎ、第２の名称表示部３０２Ｎ、第３の名称表示部３０３Ｎ、〜、第２９の名称表示部３２９Ｎからなる合計２９個の名称表示部が設けられている。具体的には、このソース名表示部３０Ｎには、各クロスポイントボタン列３０Ａ、３０Ｂ、３０Ｋに配置されている各クロスポイントボタンに関連付けられている入力ラインに供給されている入力信号に付与された名称が表示される。例えば、図７の例では、各クロスポイントボタン列３０Ａ、３０Ｂ、３０Ｋにおける第１のクロスポイントボタン３０１Ａ，３０１Ｂ、３０１Ｋに関連付けられている入力ラインＰｒｍ１に供給されたソース信号に付与されている名称は「ＣＡＭ１」であるので、この第１の名称表示部３０１Ｎには、「ＣＡＭ１」いう文字が表示される。また、各クロスポイントボタン列３０Ａ、３０Ｂ、３０Ｋにおける第２のクロスポイントボタン３０２Ａ，３０２Ｂ、３０２Ｋに関連付けられている入力ラインＰｒｍ２に供給されているソース信号に付与されている名称は「ＣＡＭ２」であるので、この第２の名称表示部３０２Ｎには、「ＣＡＭ２」という文字が表示される。
【００６３】
ここで、図２において説明したプロセッサ１のマトリックス部１０４のクロスポイントと、図４、図５及び図６において説明した各操作ブロック１０、２０、３０のクロスポイントボタンとの対応を説明する。
【００６４】
第１の信号選択操作ブロック１０（図４参照）の第１のクロスポイントボタン１０１Ａは、マトリックス部１０４の第１の信号選択ブロック１１０（図２参照）のクロスポイント１０１ａに対応し、第１の信号選択操作ブロック１０の第１のクロスポイントボタン１０１Ｂは、第１の信号選択ブロック１１０のクロスポイント１０１ｂに対応し、第１の信号選択操作ブロック１０の第１のクロスポイントボタン１０１Ｋは、第１の信号選択ブロック１１０のクロスポイント１０１ｋに対応する。同じように、第２から第２９の各クロスポイントボタン１０２Ａ〜１２９Ａは、各クロスポイント１０２ａ〜１２９ａに夫々対応し、第２から第２９の各クロスポイントボタン１０２Ｂ〜１２９Ｂは、各クロスポイント１０２ｂ〜１２９ｂに夫々対応し、第２から第２９の各クロスポイントボタン１０２Ｋ〜１２９Ｋは、各クロスポイント１０２ｋ〜１２９ｋに夫々対応している。
【００６５】
第２の信号選択操作ブロック２０（図５参照）の第１のクロスポイントボタン２０１Ａは、マトリックス部１０４の第２の信号選択ブロック１２０（図２参照）のクロスポイント２０１ａに対応し、第２の信号選択操作ブロック２０の第１のクロスポイントボタン２０１Ｂは、マトリックス部１０４のクロスポイント２０１ｂに対応し、第２の信号選択操作ブロック２０の第１のクロスポイントボタン２０１Ｋは、マトリックス部１０４のクロスポイント２０１ｋに対応する。同じように、第２から第２９の各クロスポイントボタン２０２Ａ〜２２９Ａは、各クロスポイント２０２ａ〜２２９ａに夫々対応し、第２から第２９の各クロスポイントボタン２０２Ｂ〜２２９Ｂは、各クロスポイント２０２ｂ〜２２９ｂに夫々対応し、第２から第２９の各クロスポイントボタン２０２Ｋ〜２２９Ｋは、各クロスポイント２０２ｋ〜２２９ｋに夫々対応している。
【００６６】
第３の信号選択操作ブロック３０（図６参照）の第１のクロスポイントボタン３０１Ａは、マトリックス部１０４の第３の信号選択ブロック１３０（図２参照）のクロスポイント３０１ａに対応し、第３の信号選択操作ブロック３０の第１のクロスポイントボタン３０１Ｂは、マトリックス部１０４のクロスポイント３０１ｂに対応し、第３の信号選択操作ブロック３０の第１のクロスポイントボタン３０１Ｋは、マトリックス部１０４のクロスポイント３０１ｋに対応する。同じように、第２から第２９の各クロスポイントボタン３０２Ａ〜３２９Ａは、各クロスポイント３０２ａ〜３２９ａに夫々対応し、第２から第２９の各クロスポイントボタン３０２Ｂ〜３２９Ｂは、各クロスポイント３０２ｂ〜３２９ｂに夫々対応し、第２から第２９の各クロスポイントボタン３０２Ｋ〜３２９Ｋは、各クロスポイント３０２ｋ〜３２９ｋに夫々対応している。
【００６７】
つまり、以上の説明から分かるように、各クロスポイントボタン列の識別番号「１」で定義される左から１番目の第１のクロスポイントボタン１０１Ａ，１０１Ｂ，１０１Ｋ、２０１Ａ，２０１Ｂ，２０１Ｋ、３０１Ａ，３０１Ｂ，３０１Ｋに対しては、全て同じ入力ラインＰｒｍ１が割り当てられている。わかりやすく説明すると、１番目の第１のクロスポイントボタン１０１Ａ，１０１Ｂ，１０１Ｋ、２０１Ａ，２０１Ｂ，２０１Ｋ、３０１Ａ，３０１Ｂ，３０１Ｋの配列から構成される垂直方向の第１のボタンラインＶ１は、第１の入力ラインＰｒｍ１と対応付けられていることになる。
【００６８】
よって、第１の信号選択操作ブロック１０、第２の信号選択操作ブロック２０及び第３の信号選択操作ブロック３０における第１の名称表示部１０１Ｎ、２０１Ｎ、３０１Ｎには、同じ名称が表示される。図４、図５及び図６で示した例では、全て「ＣＡＭ１」という同じ名称である。
【００６９】
尚、今後の説明の便宜上、上述のように、コントロールパネル２上において、識別番号「ｎ」を有する第ｎのクロスポイントボタンの配列から構成される垂直方向のラインを第ｎのボタンラインＶｎと呼ぶことにする。
【００７０】
また、コントロールパネル２上における第２のクロスポイントボタンからなる垂直方向のボタンラインＶ２から第２９のクロスポイントボタンら垂直方向の第２９のボタンラインＶ２９に対しては、同じように、第２の入力ラインＰｒｍ２から第２９の入力ラインＰｒｍ２９が割り当てられている。よって、第２の名称表示部１０２Ｎ、２０２Ｎ、２０３Ｎから第２９の名称表示部１２９Ｎ，２２９Ｎ３２９Ｎについても同じことが言える。
【００７１】
尚、図４、図５及び図６で示した例では、第１のクロスポイントボタンから構成される第１のボタンラインに対しては、第１のソース入力Ｐｒｍ１が割り当てられ、第２のクロスポイントボタンから構成される第２のボタンラインに対しては、第２のソース入力Ｐｒｍ２が割り当てられ、〜、第２９のクロスポイントボタンから構成される第２９のボタンラインに対しては、第２９のソース入力Ｐｒｍ２９が割り当てられている例を説明したが、本発明の装置では、この割り当てに限られることはない。具体的には、入力ラインに対する各クロスポイントボタンの割り付けを、後述するクロスポイントボタン割付テーブルによって自由に設定することができる。
【００７２】
次に、図７を参照して、ＡＵＸ信号選択操作ブロック４０について詳しく説明する。
【００７３】
このＡＵＸ信号選択操作ブロック４０は、入力ラインＰｒｍ１〜Ｐｒｍ２９の２９本の入力ラインと出力ラインＡＵＸ１〜ＡＵＸ１３の１３本の出力ラインとのマトリックスから構成されるクロスポイントの切り換えを操作するためのクロスポイントボタン有したクロスポイントボタン列４０Ａと、各クロスポイントボタンに割り当てられた入力ラインに供給されるソース信号に付与された名称を表示するソース名表示部４０Ｎと、クロスポイントボタン列４０Ａに対して、第１の出力ラインＡＵＸ１から第１３の出力ラインＡＵＸ１３からなる１３本の出力ラインのうち、１つの出力ラインを選択するためのデリゲーションボタン（delegation button）を有するデリゲーションボタン列４５Ａと、各デリゲーションボタンに対応する出力ラインで現在使用されているソース信号の名称を表示する出力ソース名表示部４５Ｎを有している。
【００７４】
このクロスポイントボタン列４０Ａには、図７に示されるように、左から順に、第１のクロスポイントボタン４０１Ａ、第２のクロスポイントボタン４０２Ａ、第３のクロスポイントボタン４０３Ａ、〜、第２９のクロスポイントボタン４２９Ａからなる合計２９個のクロスポイントボタンが配置されている。また、このクロスボタン列４０Ａに設けられた２９個の第１から第２９のクロスポイントボタンには、クロスポイントボタン１０１Ａ〜１２９Ａ、２０１Ａ〜２２９Ａ、３０１Ａ〜３２９Ａと同様に、左側から、それぞれ「１」から「２９」の識別番号が付与されている。
【００７５】
また、第１のクロスポイントボタン４０１Ａは、コントロールパネル２上の垂直方向のボタンラインを示す第１のボタンラインＶ１上に設けられ、第２のクロスポイントボタン４０２Ａは、第２のボタンラインＶ２上に設けられ、〜、第２９のクロスポイントボタン４２９Ａは、第２９のボタンラインＶ２９上に設けられている。
【００７６】
すなわち、図４、図５、図６を用いて説明したように、コントロールパネル２上の垂直方向の第１のボタンラインＶ１上に設けられた第１のクロスポイントボタン１０１Ａ，１０１Ｂ，１０１Ｋ、２０１Ａ，２０１Ｂ，２０１Ｋ、３０１Ａ，３０１Ｂ，３０１Ｋが、第１の入力ラインＰｒｍ１と対応付けられているということと同様に、この第１のボタンラインＶ１上に設けられた第１のクロスポイントボタン４０１Ａは、第１の入力ラインＰｒｍ１に対応付けられている。同様に、第２のクロスポイントボタン、第３のクロスポイントボタン、〜、第２９のクロスポイントボタンは、それぞれ、第２の入力ラインＰｒｍ２、第３の入力ラインＰｒｍ３、〜．第２９の入力ラインＰｒｍ２９に対応付けられている。
【００７７】
ソース名表示部４０Ｎには、左から順に、第１の名称表示部４０１Ｎ、第２の名称表示部４０２Ｎ、第３の名称表示部４０３Ｎ、〜、第２９の名称表示部４２９Ｎからなる合計２９個の名称表示部が設けられている。具体的には、このソース名表示部１０Ｎには、各クロスポイントボタン４０１Ａから４２９Ａに夫々対応つけられている入力ラインに供給されているソース信号に対して付与されている名称が表示される。
【００７８】
図７に示される例においては、クロスポイントボタン列４０Ａの第１のクロスポイントボタン４０１Ａに対応つけられている入力ラインは、第１の入力ラインＰｒｍ１であって、この入力ラインに供給されている入力ソース信号に付与されている名称は「ＣＡＭ１」であるので、この第１の名称表示部４０１Ｎには、「ＣＡＭ１」という文字が表示される。
【００７９】
つまり、この２９個のクロスポイントボタン４０１Ａ〜４２９Ａは、クロスポイントボタン１０１Ａ〜１２９Ａ、２０１Ａ〜２２９Ａ及び３０１Ａ〜３２９Ａと同じように、２９個の入力ラインＰｒｍ１〜Ｐｒｍ２９に夫々対応している。従って、このソース名称表示部４５Ｎには、各信号選択操作ブロック１０、２０、３０のソース名表示部１０Ｎ、２０Ｎ、３０Ｎに表示されている名称と同じ名称が表示される。
【００８０】
デリゲーションボタン列４５Ａには、左から順に、第１のデリゲーションボタン４５１Ａ、第２のデリゲーションボタン４５２Ａ、第３のデリゲーションボタン４５３Ａ、〜、第１３のデリゲーションボタン４６３Ａからなる合計１３個のデリゲーションボタンが配置されている。また、このデリゲーションボタン列４５Ａに設けられた１３個の第１から第１３のデリゲーションボタン４５１Ａ〜４６３Ａには、左側から、それぞれ「１」から「２９」の識別番号が付与されている。
【００８１】
出力ソース名表示部４５Ｎには、左から順に、第１の名称表示部４５１Ｎ、第２の名称表示部４５２Ｎ、第３の名称表示部４５３Ｎ、〜、第１３の名称表示部４６３Ｎからなる合計１３個の名称表示部が設けられている。具体的には、この名称表示部４５１Ｎ〜４６３Ｎには、出力ラインＡＵＸ１〜ＡＵＸ１３に出力されているソース信号に付与されている名称が夫々表示される。
【００８２】
次に、図８を参照して、この出力ソース名表示部４５Ｎに表示される名称についてさらに詳しく説明する。尚、図８は、図２で示されたＡＵＸ信号選択ブロック１４０を拡大した図である。
【００８３】
この図８は、第１の入力ラインＰｒｍ１と第１の出力ラインＡＵＸ１がクロスポイント４０１ａ−１において接続され、第２の入力ラインＰｒｍ２と第２の出力ラインＡＵＸ２がクロスポイント４０２ａ−２において接続され、第３の入力ラインＰｒｍ３と第３の出力ラインＡＵＸ３がクロスポイント４０３ａ−３において接続され、第６の入力ラインＰｒｍ６と第７の出力ラインＡＵＸ７がクロスポイント４０６ａ−７において接続され、第７の入力ラインＰｒｍ７と第８の出力ラインＡＵＸ８がクロスポイント４０７ａ−８において接続され、第８の入力ラインＰｒｍ８と第９の出力ラインＡＵＸ９がクロスポイント４０８ａ−９において接続され、第１０の入力ラインＰｒｍ１０と第４の出力ラインＡＵＸ４がクロスポイント４１０ａ−４において接続され、第１１の入力ラインＰｒｍ１１と第５の出力ラインＡＵＸ５がクロスポイント４１１ａ−５において接続されている例を示している。
【００８４】
つまり、ＡＵＸ第１のビデオカメラＣＡＭ１から出力された信号は、クロスポイント４０１ａ−１を介して第１の出力ラインＡＵＸ１から出力され、第２のビデオカメラＣＡＭ２から出力された信号は、クロスポイント４０２ａ−２を介して第２の出力ラインＡＵＸ２から出力され、第３のビデオカメラＣＡＭ３から出力された信号は、クロスポイント４０３ａ−３を介して第３の出力ラインＡＵＸ３から出力され、第３のビデオテープレコーダＶＴＲ３から出力された信号は、クロスポイント４０６ａ−７を介して第７の出力ラインから出力され、第４のビデオテープレコーダＶＴＲ４から出力された信号は、クロスポイント４０７ａ−８を介して第８の出力ラインＡＵＸ８から出力され、第１のディスクレコーダＤＲ１から出力された信号は、クロスポイント４０８ａ−９を介して第９の出力ラインＡＵＸ９から出力され、第１の特殊効果装置ＤＭＥ１から出力された信号は、クロスポイント４１０ａ−４を介して第４の出力ラインＡＵＸ４から出力され、第２の特殊効果装置ＤＭＥ２から出力された信号は、クロスポイント４１１ａ−５を介して第５の出力ラインＡＵＸ５から出力される。
【００８５】
従って、第１の出力ラインＡＵＸ１に対応した第１の出力ソース名表示部４５１Ｎには「ＣＡＭ１」という文字が表示され、第２の出力ラインＡＵＸ２に対応した第２の出力ソース名表示部４５２Ｎには「ＣＡＭ２」という文字が表示され、第３の出力ラインＡＵＸ３に対応した第３の出力ソース名表示部４５３Ｎには「ＣＡＭ３」という文字が表示され、第４の出力ラインＡＵＸ４に対応した第４の出力ソース名表示部４５４Ｎには「ＤＭＥ１」という文字が表示され、第７の出力ラインＡＵＸ７に対応した第７の出力ソース名表示部４５７Ｎには「ＶＴＲ３」という文字が表示され、第８の出力ラインＡＵＸ８に対応した第８の出力ソース名表示部４５８Ｎには「ＶＴＲ４」という文字が表示され、第９の出力ラインＡＵＸ９に対応した第９の出力ソース名表示部４５９Ｎには「ＤＲ１」という文字が表示される。尚、第６の出力ソース名表示部４５６Ｎには、第６の出力ラインＡＵＸ６に出力されているソース信号が無いので、ソース名称は表示されない。
【００８６】
次に、図７及び図８を参照して、ＡＵＸ信号選択操作ブロック４０の各クロスポイントボタンと、ＡＵＸ信号選択ブロック１４０の各クロスポイントの関係についてさらに詳しく説明する。
【００８７】
まず、第１のクロスポイントボタン４０１Ａは、第１の入力ラインＰｒｍ１と対応付けられているので、このクロスポイントボタン４０１Ａを操作することによって、第１の入力ラインＰｒｍ１上の１３個のクロスポイント４０１ａ−１、４０１ａ−２、４０１ａ−３、〜、４０１ａ−１３の、切り換えを操作することができる。同じように、第２のクロスポイントボタン４０２Ａは、第２の入力ラインＰｒｍ２と対応付けられているので、この第２のクロスポイントボタン４０２Ａを操作することによって、第２の入力ラインＰｒｍ２上の１３個のクロスポイント４０１ａ−１、４０１ａ−２、４０１ａ−３、〜、４０１ａ−１３の切り換えを操作することができる。つまり、左から「ｎ」番目の第ｎのクロスポイントボタン４０ｎ’Ａを操作することによって、第「ｎ」の入力ラインＰｒｍｎ’上の１３個のクロスポイントの切り換えを操作することができる。
【００８８】
１３個のデリゲーションボタン４５１Ａ〜４６３Ａは、１３本の出力ラインＡＵＸ１〜ＡＵＸ１３と夫々関連付けられている。このデリゲーションボタンを操作することによって、１３本の出力ラインＡＵＸ１〜ＡＵＸ１３の中から１本の出力ラインを選択することができる。
【００８９】
例えば、第２のデリゲーションボタン４５２Ａを押すと、第２の出力ラインＡＵＸ２が選択され、第４のデリゲーションボタン４５４Ａを押すと、第４の出力ラインＡＵＸ４が選択される。
【００９０】
ここで注意しなければいけないことは、このデリゲーションボタン４５１Ａ〜４６３Ａは、あくまでも出力ラインＡＵＸ１〜ＡＵＸ１３の中から１つの出力ラインを選択するためのクロスポイントボタンであって、このボタンによってクロスポイントの接続が切り替わることはない。
【００９１】
尚、図７及び図８では、第１のクロスポイントボタン４０１Ａに対しては、第１の入力ラインＰｒｍ１が割り当てられ、第２のクロスポイントボタン４０２Ａに対しては、第２のソース入力Ｐｒｍ２ラインが割り当てられ、〜、第２９のクロスポイントボタン４２９Ａに対しては、第２９の入力ラインＰｒｍ２９が割り当てられている例を示したが、本発明の装置では、このような割り当てに限られることはない。
【００９２】
つまり、各信号選択ブロック１０、２０、３０における各クロスポイントボタンに対する入力ラインの割り当てと同様に、入力ラインＰｒｍ１〜Ｐｒｍ２９に対する各クロスポイントボタン４０１Ａ〜４２９Ａの割付を、後述するクロスポイントボタン割付テーブルによって自由に設定することができる。
【００９３】
４．パネル制御ブロックの説明
次に、図９を参照して、コントロールパネル２を制御するためのパネル制御ブロック２ｃについて説明する。
【００９４】
このパネル制御ブロック２ｃは、コントロールパネル２のクロスポイントボタンが配置されたボタン配置面（表面）の裏側に設けられた基板上に設けられる。このパネル制御ブロック２ｃは、コントロールパネル２に設けられたクロスポイントボタンのＯＮ／ＯＦＦ状態に応じて制御信号を生成し、その制御信号をプロセッサ１に出力するとともに、コントロールパネル２上に設けられたクロスポイントボタンやソース名称表示部のＬＥＤ（Light Emitting Diode）の発光を制御するためのブロックである。
【００９５】
このパネル制御ブロック２ｃは、パネル制御ブロック２ｃ内の各回路を制御バスを介して制御するためのメインＣＰＵ２０１と、このパネル制御ブロック２ｃの制御動作のプログラムを記憶するためのプログラムＲＯＭ２０２と、このコントロールパネル２に対して設定された情報を記憶するための不揮発性のＥＥＰＲＯＭ（Electric Erasable Program Read Only Memory）２０３と、プロセッサ１のマトリックス部１０４のクロスポイント状態を記憶するためのＲＡＭ２０４と、インターフェイス回路（Ｉ／Ｆ）２０６を介してプロセッサ１と通信を行うためのコミニュケーションＣＰＵ２０５と、コントロールパネル２に設けられた各クロスポイントボタンのＯＮ／ＯＦＦ状態を表わす信号を各クロスポイントボタンから受け取るとともに、各クロスポイントボタンに設けられたボタン点灯用のＬＥＤを表示させるための制御信号を送出するためのボタン用コントローラ２０７と、コントロールパネル２のソース名称表示部１０Ｎ、２０Ｎ、３０Ｎ、４０Ｎ及び出力ソース名称表示部４５Ｎに設けられたＬＥＤを発光させるためのＬＥＤ用コントローラ２０８と、コントロールパネル２の表示部５０に設けられたディスプレイを駆動するためのディスプレイコントローラ２０９とを有している。
【００９６】
このＥＥＰＲＯＭ２０３には、２９個のプライマリー入力ラインと２９個のクロスポイントボタンとの対応付けを記憶するためのクロスポイントボタン割付テーブルが記憶されている。
【００９７】
このクロスポイントボタン割付テーブルは、具体的には、図１０に示すように、２９個のプライマリー入力ラインを示す番号と、２９個のクロスポイントボタンを示す識別番号とを対応付けたテーブルである。
【００９８】
図１０に示したクロスポイント割付テーブルは、図４、図５、図６、図７及び図８に対応するように作成されたテーブルであって、第１の入力ラインＰｒｍ１に対して、第１のクロスポイントボタンが割り当てられ、第２の入力ラインＰｒｍ２に対して、第２のクロスポイントボタンが割り当てられ、〜、第２９の入力ラインＰｒｍ２９に対して第２９のクロスポイントボタンが割り当てられている。
【００９９】
尚、このクロスポイントボタン割付テーブルは、装置のセットアップ時にオペレータが自由に設定できるテーブルであって、図１０に示されるような入力ラインとクロスポイントボタンの割り当てに限られることはない。よって、例えば、第１のクロスポイントボタンに第４の入力ラインＰｒｍ４を割り当て、第３のクロスポイントボタンに第７の入力ラインＰｒｍ７を割り当てる等、オペレータの自由に入力ラインをクロスポイントボタン割り付けることができる。
【０１００】
また、このＥＥＰＲＯＭ２０３には、２９個のプライマリー入力ラインに供給された信号に付与されているソース名称を有するソース名称テーブルが記憶されている。
【０１０１】
このソース名称テーブルは、具体的には、図１１に示すように、プライマリー入力ラインを示す番号と、この２９個の入力ラインに供給されている信号に付与されているソース名称とを対応付けたテーブルである。
【０１０２】
図１１に示したソース名称テーブルは、図１、図４、図５、図６、図７及び図８に対応するように作成されたテーブルであって、第１の入力ラインＰｒｍ１に供給される信号に対しては、「ＣＡＭ１」の名称が付与され、第２の入力ラインＰｒｍ２に供給される信号に対しては、「ＣＡＭ２」の名称が付与され、第３の入力ラインＰｒｍ３に供給される信号に対しては、「ＣＡＭ３」の名称が付与され、第４の入力ラインＰｒｍ４に供給される信号に対しては、「ＶＴＲ１」の名称が付与され、第５の入力ラインＰｒｍ５に供給される信号に対しては、「ＶＴＲ２」の名称が付与され、第６の入力ラインＰｒｍ６に供給される信号に対しては、「ＶＴＲ３」の名称が付与され、第７の入力ラインＰｒｍ７に供給される信号に対しては、「ＶＴＲ４」の名称が付与され、第８の入力ラインＰｒｍ８に供給される信号に対しては、「ＤＲ１」の名称が付与され、第９の入力ラインＰｒｍ９に供給される信号に対しては、「ＤＲ２」の名称が付与され、第１０の入力ラインＰｒｍ１０に供給される信号に対しては、「ＤＭＥ１」の名称が付与され、第１１の入力ラインＰｒｍ１１に供給される信号に対しては、「ＤＭＥ２」の名称が付与され、第１２の入力ラインＰｒｍ１２に供給される信号に対しては、「ＤＭＥ３」の名称が付与されている例を示しているテーブルである。
【０１０３】
尚、このソース名称テーブルに記憶される名称は、オペレータが自由に設定できるものであって、図１１に示されるような名称に限られることはない。
【０１０４】
ＲＡＭ２０４は、プロセッサ１のマトリックス部１０４のクロスポイントのＯＮ／ＯＦＦ状態を記憶するためのクロスポイントテーブルを有している。
【０１０５】
このクロスポイントテーブルは、図１２に示すように、クロスポイントの状態をマップ状に記憶したデータから構成され、具体的には、２９個の入力ラインＰｒｍ１〜Ｐｒｍ２９に対して、ＡＵＸ信号選択ブロック１４０からの１３本の出力ラインＡＵＸ１〜ＡＵＸ１３、第１の信号選択ブロック１１０からの３本の出力ライン、第２の信号選択ブロック１２０からの３本の出力ライン、第３の信号選択ブロック１３０からの３本の出力ラインが接続されているか否かを示す２ビットのデータが記憶されている。
【０１０６】
尚、図１２において、「１」は入力ラインと出力ラインとが接続されている状態であることを示し、「０」は入力ラインと出力ラインとが非接続状態であることを示している。
【０１０７】
５．マトリックススイッチャの動作説明
図１３、図１４及び図１５のフローチャートを参照して、このマトリックススイッチャの動作に関して説明する。
【０１０８】
まず、図１３を参照して、コントロールパネル２及びパネル制御ブロック２ｃのセットアップについて説明する。
【０１０９】
ステップＳ１では、ＣＰＵ２０１は、オペレータからの指示に基づいて、新たにクロスポイント割付テーブルを作成するか否かを決定する。ＹＥＳの場合には、ステップＳ２に進み、ＮＯの場合にはステップＳ３に進む。
【０１１０】
ステップＳ２では、ＣＰＵ２０１は、オペレータの操作に応じて、新しくクロスポイントボタン割付テーブルを作成する。具体的には、ＣＰＵ２０１は、コントロールパネル２の表示部８０に設けられたディスプレイに対して、図１０に示すようなテーブル状のデータを表示するようにディスプレイコントローラ２０９を制御する。このとき、ディスプレイに表示されるデータは、プライマリー入力ラインの１から２９の番号データであって、クロスポイントボタンの識別番号を示すデータは表示されず、空欄のままである。次に、オペレータは、ディスプレイのそばにもうけられたカーソル及びテンキーを操作することによって、所望のクロスポイントボタン番号を新しく入力する。ＣＰＵ２０１は、ディスプレイコントローラ２０９を介して、新しく入力されたクロスポイントボタンの識別番号を示すデータを受け取って、図１０に示すようなクロスポイントボタン割付テーブルを作成する。このステップＳ３の最後において、ＣＰＵ２０１は、新しく作成したクロスポイント割付テーブルを、ＥＥＰＲＯＭ２０３の所定エリアに記憶する。
【０１１１】
ステップＳ３では、ＣＰＵ２０１は、オペレータからの指示に基づいて、新たにソース名称テーブルを作成するか否かを決定する。ＹＥＳの場合には、ステップＳ４に進み、ＮＯの場合にはステップＳ５に進む。
【０１１２】
ステップＳ４では、ＣＰＵ２０１は、オペレータの操作に応じて、新しくソース名称テーブル作成する。具体的には、ＣＰＵ２０１は、コントロールパネル２の表示部８０に設けられたディスプレイに対して、図１１に示すようなテーブル状のデータとキーボードを表示するようにディスプレイコントローラ２０９を制御する。このとき、ディスプレイに表示されるデータは、プライマリー入力ラインの１から２９の番号データのみであって、ソース名称は表示されず、空欄のままである。次に、オペレータは、ディスプレイのそばにもうけられたカーソル及びテンキーを操作することによって、所望のソース名称を新しく入力する。ＣＰＵ２０１は、ディスプレイコントローラ２０９を介して、新しく入力されたソース名称を受け取って、図１１に示すようなソース名称テーブルを作成する。このステップＳ４の最後において、ＣＰＵ２０１は、新しく作成したソース名称テーブルを、ＥＥＰＲＯＭ２０３の所定エリアに記憶する。
【０１１３】
ステップＳ５では、ＣＰＵ２０１は、オペレータの操作に基づいて、ＥＥＰＲＯＭ２０３に既に記憶されているクロスポイントボタン割付テーブル及びソース名称テーブルを使用するか否かを判断する。
【０１１４】
以上のステップＳ１からステップＳ５を経ることによって、ＥＥＰＲＯＭ２０３には、オペレータの所望のセットアップデータを有するクロスポイントボタン割付テーブル及びソース名称テーブルが記憶される。
【０１１５】
次に、図１４のフローチャートを参照してクロスポイントを新たに設定する場合について説明する。
【０１１６】
まず、ステップＳ１１において、ＣＰＵ２０１は、ボタン用コントローラ２０７からのコマンドに応じて、デリゲーションボタン４５１Ａ〜４６３Ａが押されたか否かを判断する。ＣＰＵ２０１は、１３個のデリゲーションボタン４５１Ａ〜４６３Ａのうち何れかのボタン押されたことを検出したときは、ステップＳ１２に進む。ここでは、今後の説明をより理解し易くするために、図８に示した例に従い、このステップＳ１１において、オペレータによって１３個のデリゲーションボタンうちから第７のデリゲーションボタン４５７Ａが押されたと仮定する。
【０１１７】
ステップＳ１２では、ボタン用コントローラ２０７は、ステップＳ１１において押されたデリゲーションボタンを点灯させるために、この押されたデリゲーションボタン内部に設けられているＬＥＤを発光させる。
【０１１８】
ステップＳ１３では、ＣＰＵ２０１は、１３本の出力ラインＡＵＸ１〜ＡＵＸ１３の中から、ステップＳ１１において選択されたデリゲーションボタンに対応する出力ラインを選択する。すなわち、ステップＳ１１において第７のデリゲーションボタン４５７Ａが押されたので、ＣＰＵ２０１は、１３本の出力ラインＡＵＸ１〜ＡＵＸ１３の中から、第７の出力ラインＡＵＸ７を選択する。
【０１１９】
ステップＳ１４では、ＣＰＵ２０１は、ボタン用コントローラ２０７からの検出信号に応じて、クロスポイントボタン４０１Ａ〜４２９Ａが押されたか否かを判断する。ＣＰＵ２０１は、２９個のクロスポイントボタン４０１Ａ〜４２９Ａのうち何れかのボタン押されたことを検出すると、ステップＳ１４に進む。今度のステップの説明上、図８に示した例に従い、このステップＳ１４において、２９個のクロスポイントボタンの中から第６のクロスポイントボタン４０６Ａがオペレータによって押されたと仮定する。
【０１２０】
ステップＳ１５では、ボタン用コントローラ２０７は、ステップＳ１３において押されたクロスポイントボタンを点灯させるために、この押されたクロスポイントボタン内部に設けられているＬＥＤを発光させる。
【０１２１】
ステップＳ１６において、ＣＰＵ２０１は、ＥＥＰＲＯＭ２０３に記憶されたクロスポイントボタン割付テーブルを参照し、ステップＳ１４において選択されたクロスポイントボタンに割付られている入力ラインを、２９個の入力ラインＰｒｍ１〜Ｐｒｍ２９の中から選択する。具体的には、図９に示したＥＥＰＲＯＭ２０３のデータを参照すると、第６のクロスポイントボタンに割付れている入力ラインは、第６の入力ラインＰｒｍ６であるので、ＣＰＵ２０１はこのステップＳ１６において、第６の入力ラインを選択する。
【０１２２】
ステップＳ１７では、ＣＰＵ２０１は、ステップＳ１３とステップＳ１６において選択された出力ライン及び入力ラインに基づいて、切り換えるべきクロスポイントを決定する。具体的には、図８を参照すると、既に、ステップＳ１３の処理において第７の出力ラインＡＵＸ７が選択され、ステップＳ１６において第６の入力ラインＰｒｍ６が選択されているので、ＣＰＵ２０１は、第７の出力ラインＡＵＸ７と第６の入力ラインＰｒｍ６を接続するためのクロスポイントは、クロスポイント４０６ａ−７であると決定することができる。
【０１２３】
ステップＳ１８では、ＣＰＵ２０１は、ステップＳ１７の処理によって選択されたクロスポイント４０６ａ−７を非接続状態（ＯＦＦ）から接続状態（ＯＮ）に切り換えるように、プロセッサ１に制御コマンドをコミニュケーションＣＰＵ２０５を介して、送出する。
【０１２４】
一方、この制御コマンドを受け取ったプロセッサのＣＰＵ１０１は、クロスポイント４０６ａ−７を非接続状態（ＯＦＦ）から接続状態（ＯＮ）に制御する。ステップＳ１９では、ＣＰＵ２０１は、ＲＡＭ２０４に記憶されたクロスポイントテーブルのデータを更新する。具体的には、ステップＳ１４での処理によって、クロスポイント４０６ａ−７が非接続状態（ＯＦＦ）から接続状態（ＯＮ）になったので、クロスポイントテーブル内のクロスポイント４０６ａ−７の接続状態を示すデータを「０」から「１」に切り換える。
【０１２５】
ステップＳ２０では、ＣＰＵ２０１は、出力ソース名表示部４５Ｎの第７の名称表示部４５７Ｎに、「ＶＴＲ３」の文字を表示させるようにＬＥＤコントローラ２０８を制御する。
【０１２６】
以上のステップＳ１１からステップＳ２０によって、１つのクロスポイントの設定が終了する。複数のクロスポイントを設定する場合には、このステップＳ１１からステップＳ２０のループを繰り返せば良い。
【０１２７】
次に、図１４のフローチャートを参照して、既に設定されたクロスポイントを異なるクロスポイントに変更する場合について説明する。
【０１２８】
フローチャートを理解し易くするために、具体的な例を挙げて説明する。図８に示した例は、第２のディスクレコーダに接続された第７の出力ラインＡＵＸ７には、第３のビデオテープレコーダＶＴＲ３からの信号が供給されている。この図８に示される初期状態から、第７の出力ラインＡＵＸ７に第２のビデオカメラＣＡＭ２からの信号が出力されるようにクロスポイントを切り換える場合を具体的な例として、図１４のフローチャートを説明する。
【０１２９】
まず、ステップＳ２１において、ＣＰＵ２０１は、ボタン用コントローラ２０７からのコマンドに応じて、デリゲーションボタン４５１Ａ〜４６３Ａが押されたか否かを判断する。ＣＰＵ２０１は、１３個のデリゲーションボタン４５１Ａ〜４６３Ａのうち何れかのボタン押されたことを検出したときは、ステップＳ１２に進む。上述した具体例では、第７の出力ラインＡＵＸ７に出力される信号を、第３のビデオテープレコーダＶＴＲ３の信号から第２のビデオカメラの信号に切り換えなければいけないので、このステップにおいて、オペレータは第７のデリゲーションボタン４５７Ａを押すことになる。
【０１３０】
ステップＳ２２では、ボタン用コントローラ２０７は、ステップＳ１１において押されたデリゲーションボタン４５７Ａを点灯させるために、この押されたデリゲーションボタン４５７Ａ内部に設けられているＬＥＤを発光させる。
【０１３１】
ステップＳ２３では、ＣＰＵ２０１は、１３本の出力ラインＡＵＸ１〜ＡＵＸ１３の中から、ステップＳ２１において選択されたデリゲーションボタンに対応する出力ラインを選択する。すなわち、ステップＳ２１において第７のデリゲーションボタン４５７Ａが押されたので、ＣＰＵ２０１は、１３本の出力ラインＡＵＸ１〜ＡＵＸ１３の中から、第７の出力ラインＡＵＸ７を選択する。
【０１３２】
ステップＳ２４では、ＣＰＵ２０１は、ステップＳ２３において選択された第７の出力ラインＡＵＸ７とクロスしている入力ラインを検索する。具体的には、ＣＰＵ２０１は、ＲＡＭ２０４のクロスポイントテーブルに記憶されたクロスポイントのデータを参照して、第７の出力ラインＡＵＸとクロスしている入力ラインを、２９本の入力ラインＰｒｍ１〜Ｐｒｍ２９の中から選択する。この例においては、第７の出力ラインＡＵＸ７とクロスしている入力ラインは、第６の入力ラインＰｒｍ６であるので、このステップにおいて、ＣＰＵ２０１は、第６の入力ライＰｒｍ６を選択する。
【０１３３】
また、このステップＳ２４において、ＣＰＵ２０１は、ＲＡＭ２０４のクロスポイントテーブルに記憶されたクロスポイントのデータを参照することによって、第７の出力ラインＡＵＸと第６の入力ラインＰｒｍ７がクロスするクロスポイント回路は、マトリックス部１０４内のクロスポイント４０６ａ−７であると認識することができる。
【０１３４】
ステップＳ２５では、ＣＰＵ２０１は、ステップＳ２４の処理において選択された入力ラインに対応するクロスポイントボタンを検索する。具体的には、ＣＰＵ２０１は、ＥＥＰＲＲＯＭ２０３のクロスポイントボタン割付テーブルを参照して、第６の入力ラインＰｒｍ６に割付られているクロスポイントボタンを選択する。この例においては、第６の入力ラインＰｒｍ６に対応するクロスポイントボタンは、第６のクロスポイントボタン４０６Ａである。よって、ＣＰＵ２０１は、第７の出力ラインに出力されている信号が供給されている入力ラインに対応するクロスボタンとして第６のクロスポイントボタン４０６Ａを選択する。
【０１３５】
ステップＳ２６では、ＣＰＵ２０１は、ステップＳ２５において選択された第６のクロスポイントボタン４０６ＡのＬＥＤを発光させてボタン４０６Ａを点灯させるようにボタン用コントローラ２０７を制御する。
【０１３６】
ステップＳ２７では、ＣＰＵ２０１は、ボタン用コントローラ２０７からの検出信号に応じて、点灯しているクロスポイントボタン以外のクロスポイントボタン押されたか否かを判断する。つまり、この例では、ステップＳ２５及びステップＳ２６の処理によって点灯している第６のクロスポイントボタン４０６Ａ以外のクロスポイントボタン４０１Ａ〜４０５Ａ、４０７Ａ〜４２９Ａが押されたか否かを判断する。尚、上述した具体例では、第７の出力ラインＡＵＸ７に出力される信号を、第３のビデオテープレコーダＶＴＲ３の信号から第２のビデオカメラの信号に切り換えなければいけないので、このステップＳ２７において、オペレータは第２のクロスポイントボタン４０２Ａを押すことになる。
【０１３７】
ステップＳ２８では、ボタン用コントローラ２０７は、ステップＳ２７において押されたクロスポイントボタン４０２Ａを点灯させるために、この押されたクロスポイントボタン内部に設けられているＬＥＤを発光させる。また、いままで点灯していたクロスポイントボタン４０６Ａを消灯させる。
【０１３８】
ステップＳ２９において、ＣＰＵ２０１は、ＥＥＰＲＯＭ２０３に記憶されたクロスポイントボタン割付テーブルを参照し、ステップＳ２７において選択されたクロスポイントボタン４０２Ａに割付られている入力ラインを、２９個の入力ラインＰｒｍ１〜Ｐｒｍ２９の中から選択する。具体的には、図９に示したＥＥＰＲＯＭ２０３のデータを参照すると、第２のクロスポイントボタンに割付られている入力ラインは、第２の入力ラインＰｒｍ２であるので、ＣＰＵ２０１はこのステップＳ２９において、第２の入力ラインを選択する。
【０１３９】
ステップＳ３０では、ＣＰＵ２０１は、ステップＳ２３とステップＳ２９において選択された出力ライン及び入力ラインに基づいて、切り換えるべきクロスポイントを決定する。具体的には、既に、ステップＳ２３の処理において第７の出力ラインＡＵＸ７が選択され、ステップＳ２９において第２の入力ラインＰｒｍ２が選択されているので、ＣＰＵ２０１は、第７の出力ラインＡＵＸ７と第２の入力ラインＰｒｍ２を接続するためのクロスポイントは、クロスポイント４０２ａ−７であると決定することができる。
【０１４０】
ステップＳ３１では、ＣＰＵ２０１は、ステップＳ２４の処理によって選択された今まで接続されていたクロスポイント４０６ａ−７を、接続状態（ＯＮ）から非接続状態（ＯＦＦ）に切り換えるとともに、ステップＳ３０の処理によって選択されたクロスポイント４０２ａ−７を、非接続状態（ＯＦＦ）から接続状態（ＯＮ）に切り換えるように、プロセッサ１に対して、コミニュケーションＣＰＵ２０５を介して、制御コマンドを送出する。
【０１４１】
一方、この制御コマンドを受け取ったプロセッサのＣＰＵ１０１は、クロスポイント４０６ａ−７を、接続状態（ＯＮ）から非接続状態（ＯＦＦ）に切り換えるとともに、クロスポイント４０２ａ−７を、非接続状態（ＯＦＦ）から接続状態（ＯＮ）に制御する。
【０１４２】
ステップＳ３２では、ＣＰＵ２０１は、ＲＡＭ２０４に記憶されたクロスポイントテーブルのデータを更新する。具体的には、ステップＳ３１の処理によって、クロスポイント４０６ａ−７が、接続状態（ＯＮ）から非接続状態（ＯＦＦ）に切り換わり、クロスポイント４０２ａ−７が、非接続状態（ＯＦＦ）から接続状態に切り換わったので、ＣＰＵ２０１は、クロスポイントテーブル内のクロスポイント４０６ａ−７の接続状態を示すデータを「１」から「０」に変更するとともに、クロスポイント４０２ａ−７の接続状態を示すデータを「０」から「１」に変更する。
【０１４３】
ステップＳ３３では、ＣＰＵ２０１は、出力ソース名表示部４５Ｎの第７の名称表示部４５７Ｎに、「ＶＴＲ３」の文字に変わって「ＣＡＭ２」の文字を表示させるようにＬＥＤコントローラ２０８を制御する。
【０１４４】
以上のステップＳ２１からステップＳ３３によって、１つのクロスポイントに対する変更処理が終了する。複数のクロスポイントの変更を行う場合には、このステップＳ２１からステップＳ３３のループを繰り返せば良い。
【０１４５】
以上の説明のように、本発明に係るマトリックススイッチャは、複数の入力ラインと複数の出力ラインとのクロスによって生成されたクロスポイントをスイッチングするためのマトリックススイッチャであって、上記複数の入力ラインから所望の入力ラインを選択するための複数のクロスポイントボタンと、上記複数のクロスポイントボタンの列と平行に配置され、上記複数の出力ラインから所望の出力ラインを選択するための複数のデリゲーションボタンとを有するコントロールパネルと、上記入力ラインに供給されたソース信号に付与されているソース名称を所定の名称表示部に表示するとともに、上記クロスポイントを介して上記出力ラインから出力されるソース信号に付与されたソース名称を所定の名称表示部に表示するパネル制御ブロックとを備えている。
【０１４６】
従って、出力ラインに出力される信号に予め付与したソース名称が、出力ラインを示すデリゲーションボタンと対応付けられて、コントロールパネルの名称表示部に表示されるので、オペレータは、ソース信号の供給先がどのデバイスであるのかを視覚的に把握することができる。
【０１４７】
また、本発明のマトリックススイッチャは、複数の入力ラインに対して複数のクロスポイントボタンに割り付けるための割付データを記憶するクロスポイント割付テーブルと、複数の入力ラインに供給されるソース信号に夫々付与されたソース名称を記憶するためのソース名称テーブルを有している。
【０１４８】
よって、複数のクロスポイントボタンに対して自由に複数の入力ラインを割り当てることができる。また、ソース入力信号に対して、自由なソース名称を付与することができる。また、本発明のマトリックススイッチャは、クロスポイント割付テーブルとこのソース名称テーブルを不揮発性のメモリに記憶するようにしているので、スイッチャの電源を切った後でも、このテーブルのデータを再使用することができる。
【０１４９】
また、本発明のマトリックススイッチャは、プロセッサ内部のマトリックス部の内の全てのクロスポイントの接続／非接続状態を示すクロスポイント情報を記憶するためのクロスポイントテーブルを有している。従って、パネル制御手段は、マトリックス部のクロスポイントの接続／非接続状態を常に把握することができ、コントロールパネルに対して高速な制御を行うことができる。
【０１５０】
また、本発明のマトリックススイッチャは、クロスポイントテーブルの情報に基づいて、デリゲーション対応する出力ラインと接続している入力ラインを選択し、ソース名称テーブルに基づいて、選択された入力ラインに供給されるソース信号に付与されたソース名称を表示している。
【０１５１】
また、本発明のマトリックススイッチャは、複数のデリゲーションボタンのうちのいずれかの操作ボタンの操作に応答して、複数の出力ラインから１つの出力ラインを選択し、その後、複数のクロスポイントボタンのうちのいずれかの操作ボタンの操作に応答して、複数の入力ラインから１つの入力ラインを選択することによって、マトリックス部の複数のクロスポイントから１つのクロスポイントを選択している。
【０１５２】
従って、コントロールパネル上の少ない数の操作ボタンで、確実にクロスポイントを選択することができる。
【０１５３】
また、本発明のマトリックススイッチャは、デリゲーションボタンうちオペレータによって選択されたボタンに応答して、複数の出力ラインから１つの出力ラインを選択する第１の処理と、クロスポイントテーブルの情報に基づいて、第１の処理において選択された出力ラインに既に接続されている入力ラインを複数の入力ラインの中から選択するとともに、第１の処理において選択された出力ラインに対して設定されたクロスポイントをプロセッサ内の複数のクロスポイントの中から選択する第２の処理と、クロスポイントボタン割付テーブルに基づいて、第２の処理において選択された入力ラインに対して割付られたクロスポイントボタンを、複数のクロスポイントボタンの中から選択する第３の処理と、第３の処理において選択されたクロスポイントボタンを点灯させる第４の処理とを行うようにしている。従って、オペレータが、デリゲーションボタンを操作したときに、そのデリゲーションボタンに対応付けられた出力ラインと接続している入力ラインに対応付けられたクロスポイントボタンを、自動で点灯させることができる。
【０１５４】
さらに、本発明のマトリックススイッチャは、第４の処理においで点灯されたクロスポイントボタン以外のボタンが、オペレータの操作によって選択された否かを検出する第５の処理と、クロスポイントボタン割付テーブルに基づいて、第５の処理で選択された第１の操作ボタンに対応する入力ラインを、複数の入力ラインの中から選択する第６の処理と、第１の処理において選択された出力ライン及び第６の処理において選択された入力ラインに応じて、複数のクロスポイントから接続すべきクロスポイントとして１つのクロスポイントを選択する第７の処理と、第２の処理において選択されたクロスポイントを接続状態から非接続状態にスイッチングするための制御コマンドと、第７の処理において選択されたクロスポイントを非接続状態から接続状態にスイッチングするための制御コマンドとをプロセッサに送出する第８の処理とを行うようにしている。従って、デリゲーションボタンとクロスポイントボタンを操作するだけで、クロスポイントを自動で切り換えることができるとともに、ボタン操作の使い勝手が向上する。
【０１５５】
さらに本発明のマトリックススイッチャは、ソース名称テーブルの名称データに基づいて、第６の処理において選択された入力ラインに付与されているソース名称を検索する第９の処理と、第９の処理において検索されたソース名称を、既に表示されているソース名称に代えて、第１の処理において選択された出力ラインに対応する名称表示部に新たに表示する第１０の処理とを行うようにしている。従って、クロスポイントを切り換えたときに、その切り換えに応じて、自動的に表示される名称が変更される。
【０１５６】
また本発明は、複数の入力ラインと複数の出力ラインとのクロスによって生成されたクロスポイントをスイッチングするためのマトリックススイッチャにおけるソース信号名称の表示方法において、前記マトリックススイッチャは、上記複数の入力ラインから所望の入力ラインを選択するための複数の第１の操作ボタンと、上記複数の第１の操作ボタンの列と並列に配置され、前記複数の第１の操作ボタンと夫々対応付けられた場所に、ソース信号に付与されたソース名称を表示するための複数の第１の表示部と、前記複数の第１の操作ボタンの列と平行に配置され、上記複数の出力ラインから所望の出力ラインを選択するための複数の第２の操作ボタンと、上記複数の第２の操作ボタンの列と並列に配置され、前記複数の第２の操作ボタンと夫々対応付けられた場所に、上記ソース信号に付与されたソース名称を表示するための複数の第２の表示部と、を有し、前記マトリックススイッチャに設けられた制御手段により、上記入力ラインに供給されたソース信号に付与されているソース名称を上記第１の表示部に表示するとともに、上記クロスポイントを介して上記出力ラインから出力されるソース信号に付与されたソース名称を、上記第２の表示部に表示する。
【０１５７】
従って、出力ラインに出力される信号に予め付与したソース名称が、出力ラインを示すデリゲーションボタンと対応付けられて、コントロールパネルの名称表示部に表示されるので、オペレータは、ソース信号の供給先がどのデバイスであるのかを視覚的に把握することができる。
【０１５８】
本発明のマトリックススイッチャ、及び、マトリックススイッチャにおけるソース信号名称の表示方法は、放送局などにおいて、複数の入力ラインから入力されるビデオデータより所望のソースビデオデータを選択して、所望の出力ラインに適宜切り替えて出力するスイッチャシステムに適用できる。
【０１５９】
【発明の効果】
出力ラインに出力される信号に予め付与したソース名称が、出力ラインを示すデリゲーションボタンと対応付けられて、コントロールパネルの名称表示部に表示されるので、オペレータは、ソース信号の供給先がどのデバイスであるのかを視覚的に把握することができる。
【図面の簡単な説明】
【図１】図１は、本発明のマトリックススイッチャが使用されるスイッチャシステムの全体構成を示す図である。
【図２】図２は、マトリックススイッチャのプロセッサの構成を示すブロック図である。
【図３】図３は、マトリックススイッチャのコントロールパネルの外観を示す図である。
【図４】図４は、コントロールパネルの第１の信号選択操作ブロックを示す図である。
【図５】図５は、コントロールパネルの第２の信号選択操作ブロックを示す図である。
【図６】図６は、コントロールパネルの第３の信号選択操作ブロックを示す図である。
【図７】図７は、コントロールパネルのＡＵＸ信号選択操作ブロックを示す図である。
【図８】図８は、マトリックス部内のＡＵＸ信号選択ブロックを示す図である。
【図９】図９は、パネル制御ブロックの構成を示すブロック図である。
【図１０】図１０は、クロスポイントボタン割付テーブルを表わす図である。
【図１１】図１１は、ソース名称テーブルを表わす図である。
【図１２】図１２は、クロスポイントテーブルを表わす図である。
【図１３】図１３は、本発明のマトリックススイッチャのセットアップ時の動作を示すフローチャートである。
【図１４】図１４は、本発明のマトリックススイッチャにおいて、クロスポイントを新たに設定する動作を示すフローチャートである。
【図１５】図１５は、本発明のマトリックススイッチャにおいて、クロスポイントを変更する動作を示すフローチャートである。
【符号の説明】
1…プロセッサ，  ２…コントロールパネル，  ２ｃ…パネル制御ブロック，  １０…第１の信号選択操作ブロック，  ２０…第２の信号選択操作ブロック，  ３０…第３の信号選択操作ブロック，  ４０Ａ…クロスポイントボタン列，  ４０Ｎ…ソース名表示部，  ４５Ａ…デリゲーションボタン列，  ４５Ｎ…出力ソース名表示部，  １０１…ＣＰＵ，  １０４…マトリックス部，  １１０…第１の信号選択ブロック，  １２０…第２の信号選択ブロック，  １３０…第３の信号選択ブロック，  １４０…ＡＵＸ信号選択ブロック，  ４０１Ａ…第１のクロスポイントボタン，  ４０２Ａ…第２のクロスポイントボタン，  ４０１Ｎ…第１の名称表示部，  ４０１Ａ…第２の名称表示部，  ４５１Ａ…第１のデリゲーションボタン，  ４５２Ａ…第２のデリゲーションボタン，  ４５１Ｎ…第１の名称表示部，  ４５２Ｎ…第２の名称表示部
【図１】
0004462639.tif 000002
【図２】
0004462639.tif 000003
【図３】
0004462639.tif 000004
【図４】
0004462639.tif 000005
【図５】
0004462639.tif 000006
【図６】
0004462639.tif 000007
【図７】
0004462639.tif 000008
【図８】
0004462639.tif 000009
【図９】
0004462639.tif 000010
【図１０】
0004462639.tif 000011
【図１１】
0004462639.tif 000012
【図１２】
0004462639.tif 000013
【図１３】
0004462639.tif 000014
【図１４】
0004462639.tif 000015
【図１５】
0004462639.tif 000016
0004462639.tif 000017